(57)【要約】【課題】運転者以外の第三者が、運転者の生体情報、運転者が運転する自動車の走行に係る自動車情報、運転者の健康状態情報、更には、運転者の健康状態及び運転技術に関する少なくとも良否に係る情報などを共用する。【解決手段】運転者が使用する運転者端末２００と、運転者以外が使用する第三者端末６００と、運転者の生体情報と運転者が運転する自動車の走行に係る自動車情報との少なくとも一方を用いて運転者の健康状態または運転技術に関する情報を解析し、解析結果を返送すると共に、運転者端末２００から送られるメッセージを含む情報を記憶する記憶部を有し、前記記憶部に記憶された情報または解析結果を、運転者端末２００または第三者端末６００に提供する情報提供手段とを備えるサーバとを具備する。【選択図】図１
2015075895.tif 000002
【特許請求の範囲】
【請求項１】
運転者が使用する運転者端末と、
運転者以外が使用する第三者端末と、
運転者の生体情報と運転者が運転する自動車の走行に係る自動車情報との少なくとも一方を用いて運転者の健康状態または運転技術に関する情報を解析し、解析結果を返送すると共に、運転者端末から送られるメッセージを含む情報を記憶する記憶部を有し、前記記憶部に記憶された情報または解析結果を、運転者端末または第三者端末に提供する情報提供手段とを備えるサーバと
を具備することを特徴とする運転関連情報共用システム。
【請求項２】
記憶部には、第三者端末から送られるメッセージを含む情報が記憶されることを特徴とする請求項１に記載の運転関連情報共用システム。
【請求項３】
運転者端末には、少なくとも生体情報と運転者が運転する自動車の走行に係る自動車情報とを収集する情報収集手段からの情報を取り込む取込手段と、取り込んだ情報に基づき、運転者の健康状態及び運転技術に関する少なくとも良否を判定する判定手段とが備えられ、
前記取り込んだ情報及び判定手段による判定結果の情報が、前記記憶部に記憶されることを特徴とする請求項１乃至３のいずれか１項に記載の運転関連情報共用システム。
【請求項４】
情報収集手段は自動車内外の環境に係る情報を収集し、取込手段は、前記情報収集手段が収集した自動車内外の環境に係る情報を取り込むことを特徴とする請求項３に記載の運転関連情報共用システム。
【請求項５】
運転者端末または第三者端末には、運転者の健康状態情報を操作入力可能とする入力手段が備えられ、入力手段から入力された健康状態情報は、記憶部に記憶されることを特徴とする請求項１乃至４のいずれか１項に記載の運転関連情報共用システム。
【請求項６】
第三者端末の入力手段は、運転者の生体情報と運転者が運転する自動車の走行に係る自動車情報との少なくとも一方を入力可能とし、入力される情報は記憶部に記憶されることを特徴とする請求項５に記載の運転関連情報共用システム。
【請求項７】
運転者端末または第三者端末には、記憶部に記憶された情報を用いた解析を解析サーバにより行わせる解析要求手段が備えられていることを特徴とする請求項１乃至６のいずれか１項に記載の運転関連情報共用システム。
【請求項８】
情報提供手段または運転者端末或いは第三者端末には、非音声メッセージを音声メッセージに変換し、また、音声メッセージを可視メッセージに変換し、変換されたメッセージをそれぞれ提供する手段が備えられていることを特徴とする請求項１乃至７のいずれか１項に記載の運転関連情報共用システム。
【請求項９】
サーバは、
運転者の生体情報と運転者が運転する自動車の走行に係る自動車情報との少なくとも一方を用いて運転者の健康状態または運転技術に関する情報を解析し、解析結果を返送する解析サーバと、
運転者端末から送られるメッセージを含む情報を記憶する記憶部を有し、前記記憶部に記憶された情報または前記解析サーバから返送された解析結果を、運転者端末または第三者端末に提供するセンタサーバと
により構成されることを特徴とする請求項１乃至８のいずれか１項に記載の運転関連情報共用システム。
【請求項１０】
運転者の生体情報と運転者が運転する自動車の走行に係る自動車情報と運転者の健康状態情報を取り込む取込手段と、
取り込んだ情報に基づき、運転者の健康状態及び運転技術に関する少なくとも良否を判定する判定手段と
情報を表示する表示部と、
前記取り込んだ情報及び判定手段による判定結果の情報を前記表示部及び外部へ出力する手段と
を具備することを特徴とする運転者端末。
【請求項１１】
取込手段は、自動車内外の環境に係る情報を取得する手段から情報を取り込み、
判定手段は、この情報を含めて判定を行うことを特徴とする請求項１０に記載の運転者端末。
【請求項１２】
前記判定手段が用いた情報と共に、この情報を用いた少なくとも運転者の健康状態に関する解析を外部へ依頼する解析依頼手段が備えられていることを特徴とする請求項１０または１１に記載の運転者端末。
【請求項１３】
前記取込手段が取り込んだ情報、判定結果の情報、外部から送られるメッセージを含む情報を前記表示部に表示する表示制御手段と
を具備することを特徴とする請求項１０乃至１２のいずれかに記載の運転者端末。
【請求項１４】
音声を出力するための音声出力部と、
非音声メッセージを音声メッセージに変換し、また、音声メッセージを可視メッセージに変換し、変換されたメッセージをそれぞれ提供する手段と、
を具備し、
非音声メッセージから変換された音声メッセージを前記音声出力部から出力することを特徴とする請求項１０乃至１３のいずれか１項に記載の運転者端末。
【発明の詳細な説明】
【技術分野】
【０００１】
この発明は、運転者による安全運転の確保、運転者が運転するに適するか否かを含む運転者管理や監視等に好適な運転関連情報共用システム、更には、運転関連情報共用システムに用いられる運転者端末に関するものである。
【背景技術】
【０００２】
従来、運転者の生体情報や運転者が運転する自動車の走行に係る自動車情報、更には運転者の健康状態情報を用いて、運転者を支援するシステムが知られている。
【０００３】
例えば、自動車の走行経路にある危険地点などを、実際の運転を行ったときに得られる生体情報から検出し、安全運転の支援を行うシステムが知られている（特許文献１参照）。
【０００４】
更に、運転者に起因する危険運転を回避するために、生体信号等を用いて運転者が認識していない危険度の高い運転に基づき、当該運転者のウイークポイント情報を記憶して交通事故の発生防止に役立てるシステムも知られている（特許文献２参照）。
【先行技術文献】
【特許文献】
【０００５】
【特許文献１】特開２００７−４７９１４号公報
【特許文献２】特開２００７−６５９９７号公報
【発明の概要】
【発明が解決しようとする課題】
【０００６】
上記システムは交通事故発生の防止などの観点から優れたものではある。これに対し、実際に運転する運転者以外に、家族やタクシーやトラックなどの運送業の管理者が、運転者の生体情報、運転者が運転する自動車の走行に係る自動車情報、運転者の健康状態情報、更には、運転者の健康状態及び運転技術に関する少なくとも良否に係る情報などを共用しようとする要望が多く寄せられている。
【０００７】
本発明は上記のような要望に応えんとしてなされたもので、その目的は、実際に運転する運転者以外の第三者が、運転者の生体情報、運転者が運転する自動車の走行に係る自動車情報、運転者の健康状態情報、更には、運転者の健康状態及び運転技術に関する少なくとも良否に係る情報などを共用することが可能な運転関連情報共用システムを提供することを目的とする。更には、運転関連情報共用システムに用いられる運転者端末を提供することを他の目的とする。
【課題を解決するための手段】
【０００８】
本発明に係る運転関連情報共用システムは、運転者が使用する運転者端末と、運転者以外が使用する第三者端末と、運転者の生体情報と運転者が運転する自動車の走行に係る自動車情報との少なくとも一方を用いて運転者の健康状態または運転技術に関する情報を解析し、解析結果を返送すると共に、運転者端末から送られるメッセージを含む情報を記憶する記憶部を有し、前記記憶部に記憶された情報または解析結果を、運転者端末または第三者端末に提供する情報提供手段とを備えるサーバとを具備することを特徴とする。
【０００９】
本発明に係る運転関連情報共用システムでは、記憶部には、第三者端末から送られるメッセージを含む情報が記憶されることを特徴とする。
【００１０】
本発明に係る運転関連情報共用システムでは、運転者端末には、少なくとも生体情報と運転者が運転する自動車の走行に係る自動車情報とを収集する情報収集手段からの情報を取り込む取込手段と、取り込んだ情報に基づき、運転者の健康状態及び運転技術に関する少なくとも良否を判定する判定手段とが備えられ、前記取り込んだ情報及び判定手段による判定結果の情報が、前記記憶部に記憶されることを特徴とする。
【００１１】
本発明に係る運転関連情報共用システムでは、情報収集手段は自動車内外の環境に係る情報を収集し、取込手段は、前記情報収集手段が収集した自動車内外の環境に係る情報を取り込むことを特徴とする。
【００１２】
本発明に係る運転関連情報共用システムでは、運転者端末または第三者端末には、運転者の健康状態情報を操作入力可能とする入力手段が備えられ、入力手段から入力された健康状態情報は、記憶部に記憶されることを特徴とする。
【００１３】
本発明に係る運転関連情報共用システムでは、第三者端末の入力手段は、運転者の生体情報と運転者が運転する自動車の走行に係る自動車情報との少なくとも一方を入力可能とし、入力される情報は記憶部に記憶されることを特徴とする。
【００１４】
本発明に係る運転関連情報共用システムでは、運転者端末または第三者端末には、記憶部に記憶された情報を用いた解析を解析サーバにより行わせる解析要求手段が備えられていることを特徴とする。
【００１５】
本発明に係る運転関連情報共用システムでは、情報提供手段または運転者端末或いは第三者端末には、非音声メッセージを音声メッセージに変換し、また、音声メッセージを可視メッセージに変換し、変換されたメッセージをそれぞれ提供する手段が備えられていることを特徴とする。
【００１６】
本発明に係る運転関連情報共用システムでは、サーバは、運転者の生体情報と運転者が運転する自動車の走行に係る自動車情報との少なくとも一方を用いて運転者の健康状態または運転技術に関する情報を解析し、解析結果を返送する解析サーバと、運転者端末から送られるメッセージを含む情報を記憶する記憶部を有し、前記記憶部に記憶された情報または前記解析サーバから返送された解析結果を、運転者端末または第三者端末に提供するセンタサーバとにより構成されることを特徴とする。
【００１７】
本発明に係る運転者端末は、運転者の生体情報と運転者が運転する自動車の走行に係る自動車情報と運転者の健康状態情報を取り込む取込手段と、取り込んだ情報に基づき、運転者の健康状態及び運転技術に関する少なくとも良否を判定する判定手段と、情報を表示する表示部と、前記取り込んだ情報及び判定手段による判定結果の情報を前記表示部及び外部へ出力する手段とを具備することを特徴とする。
【００１８】
本発明に係る運転者端末では、取込手段は、自動車内外の環境に係る情報を取得する手段から情報を取り込み、判定手段は、この情報を含めて判定を行うことを特徴とする。
【００１９】
本発明に係る運転者端末では、前記判定手段が用いた情報と共に、この情報を用いた少なくとも運転者の健康状態に関する解析を外部へ依頼する解析依頼手段が備えられていることを特徴とする。
【００２０】
本発明に係る運転者端末では、前記取込手段が取り込んだ情報、判定結果の情報、外部から送られるメッセージを含む情報を前記表示部に表示する表示制御手段とを具備することを特徴とする。
【００２１】
本発明に係る運転者端末では、音声を出力するための音声出力部と、非音声メッセージを音声メッセージに変換し、また、音声メッセージを可視メッセージに変換し、変換されたメッセージをそれぞれ提供する手段と、を具備し、非音声メッセージから変換された音声メッセージを前記音声出力部から出力することを特徴とする。
【発明の効果】
【００２２】
本発明に係る運転関連情報共用システムによれば、サーバが、運転者端末から送られるメッセージを含む情報を記憶する記憶部を有し、この記憶部に記憶された情報または解析結果を、運転者端末または第三者端末に提供するので、運転者の生体情報、運転者が運転する自動車の走行に係る自動車情報、運転者の健康状態情報、更には、運転者の健康状態及び運転技術に関する少なくとも良否に係る情報などを共用することができ、運転者の家族にとっては安心を与え、また、タクシーやトラックなどの運送業の管理者には、運転者の状態及び運転状態の把握が容易となるという利点がある。
【００２３】
本発明に係る運転者端末によれば、運転者の生体情報と運転者が運転する自動車の走行に係る自動車情報と運転者の健康状態情報を取り込み、これら情報に基づき、運転者の健康状態及び運転技術に関する少なくとも良否を判定し、取り込んだ情報及び判定結果の情報を表示部及び外部へ出力するので、運転者と外部とが運転関連の情報を共用することができ、運転者の家族にとっては安心を与え、また、タクシーやトラックなどの運送業の管理者には、運転者の状態及び運転状態の把握が容易となるという利点がある
【図面の簡単な説明】
【００２４】
【図１】本発明に係る運転関連情報共用システムの実施形態の構成を示すブロック図。
【図２】本発明に係る運転関連情報共用システムに用いられる運転者端末の実施形態の構成を示すブロック図。
【図３】本発明に係る運転関連情報共用システムにおける表示例であり、（ａ）アドバイスデータの表示例を示し、（ｂ）はセンサ部から収集された情報（センサデータ）の表示例を示す図。
【図４】本発明に係る運転関連情報共用システムにおける表示例であり、アドバイスデータをアイコンで可視表示する場合のアイコンと意味、音声出力されるメッセージの例を示す図。
【図５】本発明に係る運転関連情報共用システムに用いられるセンタサーバの実施形態の構成を示すブロック図。
【図６】本発明に係る運転関連情報共用システムに用いられる第三者端末の実施形態の構成を示すブロック図。
【発明を実施するための形態】
【００２５】
以下、添付図面を参照して本発明に係る運転関連情報共用システム及び運転者端末の実施形態を説明する。各図において同一の構成要素には、同一の符号を付して重複する説明を省略する。図１に、本発明に係る運転関連情報共用システムにおける第一の実施形態の構成図を示す。運転関連情報共用システムは、運転者が使用する運転者端末２００、運転者以外が使用する第三者端末６００、解析サーバ５００、情報収集を行う情報収集手段としてのセンサ部１００とを主な構成とする。
【００２６】
センサ部１００は、生体情報を収集する生体情報センサ１０１、運転者が運転する自動車の走行に係る自動車情報を収集する自動車情報センサ１０２、自動車内外の環境に係る情報を取得する手段としての環境センサ１０３を備えることができる。生体情報センサ１０１は、心電図、脈波、体温、血圧などの生体情報を検出するセンサなどにより構成することができるが、これに限定されるものではない。自動車情報センサ１０２には、速度、加速度、ブレーキ、ステアリング、運転時間、アクセル、燃料など操作や状態を検出するセンサにより構成することができ、その他の車両情報を検出するものを含んでも良い。環境センサ１０３は、カメラ、超音波センサ、レーダなどにより構成することができる、車間距離や周囲状況の検出を行うものの他、ＧＰＳや時計、交通状況、気象情報等を含んで構成することができ、運転者が走行した位置と時刻に関する情報を履歴(記録)として残すこともできる。
【００２７】
運転者端末２００は、スマートフォンやタブレット端末などにより構成することができる。運転者端末２００には、プロセッサと記憶装置などにより構成される演算処理部２７０、表示部２７５、入力部２８０、センサ部１００とのインタフェース部２８５、通信部２９０を備える。入力部２８０には、タッチパネルなどの操作による情報入力を行う手段や、マイクロフォンなどの音声入力を行うものを含む。表示部２７５は、可視表示による他、音声による出力を含むものとすることができる。なお、運転者端末に内蔵されたＧＰＳセンサ、加速度センサ、ジャイロセンサ、カメラ等を、情報収集手段としてのセンサ部１００として用いても良い。
【００２８】
第三者端末６００は、スマートフォンやパーソナルコンピュータなどにより構成することができる。第三者端末６００には、プロセッサと記憶装置などにより構成される演算処理部６７０、表示部６７５、入力部６８０、通信部６９０を備える。入力部６８０には、キーボードやタッチパネルなどの操作による情報入力を行う手段や、マイクロフォンなどの音声入力を行うものを含む。表示部６７５は、可視表示による他、音声による出力を含むものとすることができる。また、第三者端末６００は、リモコンなどにより情報（メッセージを含む）を入力可能であり且つネットワークに接続可能なテレビなどにより構成することができる。
【００２９】
センタサーバ４００は、プロセッサと記憶装置などにより構成される演算処理部４７０、通信対応部４０１、４０３を備える。解析サーバ５００は、ここでは解析サーバＡと解析サーバＢにより構成されるが、１台でも３台以上であっても良い。
【００３０】
運転者端末２００の詳細構成を図２に示す。運転者端末２００には、情報収集手段であるセンサ部１００からの情報（センサデータ）を取り込む取込手段３０１が備えられる。取り込んだ情報は、判定手段であるアドバイス計算部２０１とセンサデータ出力部２２１へ与えられると共に、取込手段３０１から通信部２３１を介してセンタサーバ４００へ送られる。
【００３１】
センサデータ出力部２２１は、センサデータを表示部２７５に表示する。センサデータ出力部２２１には出力調整部２２２が備えられ、出力調整部２２２は他の出力調整部２２４、２２６、２２８と表示領域などの調整を行い、センサデータを表示する。この表示例は、図３（ｂ）に示すごとくの画像とすることができる。
【００３２】
アドバイス計算部２０１は、センサデータ分析部２０２、状態評価部２０３、アドバイス・警告部２０４を備えている。センサデータ分析部２０２は、センサデータを生体情報、自動車の走行に係る自動車情報、環境情報に分けて、状態評価部２０３へ送る。状態評価部２０３は、これらの情報を単独で或いは組み合わせて、状態評価を行う。この状態評価は、例えば、運転者の健康状態及び運転技術に関する少なくとも良否を判定するものとすることができる。状態評価としては、熱が所定閾値を超えていないか否か、不整脈がないか否か、呼気ガスセンサによりアルコールが検出されていないか否かなどにより健康状態が良好かを判定し、車間距離が狭くないか否か、急発進や急加速や急ハンドルがないか否か、更には指定(設定)された経路からの逸脱が無いか否かなどに基づき安全運転の割合を点数で示し、燃料の残量やオイルやタイヤなどの使用時間により車体状況が良好か否かを判定し、これをアドバイス・警告部２０４及びアドバイスデータ作成部２０５へ送出する。
【００３３】
アドバイスデータ作成部２０５は、状態評価部２０３とアドバイス・警告部２０４からの出力に基づき、アドバイスデータを作成して中継部３０２Ａへ送る。中継部３０２Ａは、このアドバイスデータ出力部２２３と通信部２３１を介してセンタサーバ４００へ送る。アドバイスデータ出力部２２３には出力調整部２２４が備えられ、出力調整部２２４は他の出力調整部２２２、２２６、２２８と表示領域などの調整を行い、アドバイスデータを表示する。上記で表示されるアドバイスデータの表示例を図３（ａ）に示す。
【００３４】
アドバイス・警告部２０４からは、「急発進、急ブレーキが多くて危険です。もっと車間を空けましょう。」や「熱があるので運転は控えて下さい。」などのアドバイスを出力し、表示などすることができる。また、図３の表示では、運転中の運転者が長い時間「よそ見」をすることを回避するため、例えば図４のようなアイコンのみを可視表示し、音声でメッセージを出力しても良い。このように運転者端末２００には、非音声メッセージを音声メッセージに変換し、また、音声メッセージを可視メッセージに変換し、変換されたメッセージをそれぞれ提供する手段が備えられていても良い。
【００３５】
運転者端末２００は、図１の入力部２８０の一部としての標準入力デバイス２０６を備えている。この標準入力デバイス２０６からは、運転者の健康状態情報、各種のメッセージ、センタサーバ４００へ送る解析依頼のコマンドなどを入力することができる。
【００３６】
メッセージデータ作成部２０７は、標準入力デバイス２０６から情報を受けてメッセージなどを作成し中継部３０３Ａを介して出力制御部２２５と通信部２３１を介してセンタサーバ４００へ送る。メッセージデータ出力部２２５は、メッセージを表示部２７５へ表示することができる。メッセージデータ出力部２２５には出力調整部２２６が備えられ、出力調整部２２６は他の出力調整部２２２、２２４、２２８と表示領域などの調整を行い、メッセージなどを表示する。このメッセージは、例えば、職業ドライバーが本部などへ送る「○○通りの△△交差点付近が渋滞です。」などの渋滞情報や「指定(設定)経路から外れています。」などの走行経路情報や、一般ドライバーが家族へ送る「今日はケーキを買って帰ります。」などの伝言とすることができる。運転者端末２００には、非音声メッセージを音声メッセージに変換し、また、音声メッセージを可視メッセージに変換し、変換されたメッセージをそれぞれ提供する手段が備えられていても良いため、入力は音声により或いは操作により行い、データ形式を変更して出力及びセンタサーバ４００へ送信するようにしても良い。
【００３７】
上記標準入力デバイス２０６からは、運転者の健康状態情報が入力することができる。この情報は、運転者本人が「体がだるい」、「目まいがする」、睡眠時間「○○時間」などを自主申告するものとして良く。この情報は、上記メッセージと同様に表示と送信される他にアドバイス計算部２０１へ与えて、状態評価及びアドバイスデータ作成に用いるようにしても良い。
【００３８】
出力フォーマット記憶部２１０のフォーマットデータはアドバイスデータ作成部２０５及びメッセージデータ作成部２０７が用いるものであり、標準入力デバイス２０６から出力フォーマット再定義部２０８を介して更新変更することができる。
【００３９】
標準入力デバイス２０６からセンタサーバ４００へ送る解析依頼のコマンドが入力された場合には、解析依頼部２０９がこれを検出し、依頼内容を含むフォーマットに変更し中継部３０４Ａから通信部２３１を介して解析依頼コマンドをセンタサーバ４００へ送る。また、中継部３０４Ａは解析結果データ出力部２２７へ解析依頼のコマンドが入力された旨の情報を送出する。解析結果データ出力部２２７は、これを受けて「解析依頼中」などを示す表示を表示部２７５へ表示する。表示は所定のマークをブリンク表示させるなどであって良い。解析結果データ出力部２２７には出力調整部２２８が備えられ、出力調整部２２８は他の出力調整部２２２、２２４、２２６と表示領域などの調整を行い、表示を実行する。
【００４０】
通信部２３２には、中継部３０２Ｂ、３０３Ｂ、３０４Ｂ、３０５Ａ、３０５Ｂが備えられている。中継部３０２Ｂ、３０３Ｂ、３０４Ｂ、３０５Ａ、３０５Ｂは、一つの中継部として構成することができる。
【００４１】
中継部３０２Ｂは、第三者端末６００において作成されてセンタサーバ４００へアップロードしたアドバイスデータを取り込んで（ダウンロードして）アドバイスデータ出力部２２３へ送る。これにより、第三者端末６００において作成されたアドバイスデータも表示部２７５へ表示することができる。
【００４２】
中継部３０３Ｂは、第三者端末６００からセンタサーバ４００へアップロードしたメッセージを取り込んで（ダウンロードして）メッセージデータ出力部２２５へ送る。メッセージデータ出力部２２５は、第三者端末６００からセンタサーバ４００へアップロードされたメッセージを表示部２７５へ表示する。このメッセージは、例えば、職業ドライバーが本部などから送られる「○○通りの△△交差点付近が渋滞です。」などの渋滞情報や、一般ドライバーが家族から送られる「スーパで牛乳とパンを買ってきて。」などの伝言とすることができる。運転者端末２００には、非音声メッセージを音声メッセージに変換し、また、音声メッセージを可視メッセージに変換し、変換されたメッセージをそれぞれ提供する手段が備えられていても良いため、到来するメッセージは音声或いは操作入力されたテキストである場合に、これらメッセージのデータ形式を変更して出力及びセンタサーバ４００へ送信するようにしても良い。
【００４３】
中継部３０４Ｂは、第三者端末６００において入力されてセンタサーバ４００へアップロードした解析依頼コマンドを取り込んで（ダウンロードして）これを解析結果データ出力部２２７へ送る。これにより、第三者端末６００において入力された解析依頼コマンドも表示部２７５において「 (第三者端末により) 解析依頼中」などというメッセージとして表示することができる。
【００４４】
中継部３０５Ａは、解析依頼部２０８からセンタサーバ４００へ送られた解析依頼コマンドに対する応答である解析結果データを取り込んで（ダウンロードして）解析結果データ出力部２２７へ送る。解析結果データは、例えば運転者の生体情報と運転者が運転する自動車の走行に係る自動車情報と運転者の健康状態情報、更には、自動車内外の環境に係る情報の少なくとも一つをセンタサーバ４００から解析サーバ５００へ与えて、これに基づき運転者の健康状態または運転技術（車両の異常などの車両状態を含む）に関する情報を解析したものである。この解析サーバ５００による解析は、判定手段であるアドバイス計算部２０１が行う判定よりも詳細緻密であり、特定の病気、運転者の運転技術としての運転の癖、車両の異常などを統計処理を含めた処理を行って求める。例えば、心筋梗塞や心細動の兆候の判断など、道路の左側寄りを走行する癖や法定速度超過が多い癖など、ブレーキの片利きやアイドリング不調などを、ある程度長い間に収集された情報から解析し、或いは外部の情報源から得られた対比情報と比較して解析するなどにより解析結果を得るものとすることができる。解析サーバ５００は上記の解析の他、例えば、地図道路情報の提供、並びに道路混雑状況を推測して最短距離を算出して結果を提供するなどの機能を有しても良い。
【００４５】
中継部３０５Ｂは、第三者端末６００において入力されてセンタサーバ４００へ送られた解析依頼コマンドに対する応答である解析結果データを取り込んで（ダウンロードして）解析結果データ出力部２２７へ送る。解析結果データは、解析依頼部２０８からセンタサーバ４００へ送られた解析依頼コマンドに対する応答である解析結果データとして上述したものと同様である。これにより、第三者端末６００において入力されてセンタサーバ４００へ送られた解析依頼コマンドに対する応答である解析結果データも表示部２７５へ表示することができる。
【００４６】
解析結果データ出力部２２７は、上記のような、運転者の健康状態または運転技術（車両の異常などの車両状態を含む）解析結果データを表示部２７５へ表示する。このとき、出力調整部２２８は他の出力調整部２２２、２２４、２２６と表示領域などの調整を行う。
【００４７】
センタサーバ４００の詳細を図５に示す。センタサーバ４００には、メッセージを含む情報を記憶する記憶部として、データベース４２１、記憶装置４２３、記憶装置４２４を備える。また、センタサーバ４００には、情報の開示を許可する情報開示者の識別情報（運転者端末２００、第三者端末６００）の識別情報などをリスト化したデータベース４２２が備えられている。データベース４２１、データベース４２２、記憶装置４２３、記憶装置４２４は、一つの記憶装置に構成されたものであっても良い。
【００４８】
センタサーバ４００は、通信対応部４０１、４０３を介して運転者端末２００、第三者端末６００、解析サーバ５００と通信することができる。通信対応部（受信）４０１には受信データ識別部４０２が接続されており、受信データ識別部４０２は、到来する情報の内容を分析して識別し、情報蓄積部４１１、メッセージ仲介部４１３、解析サーバ仲介部４１４のいずれかへ送出する。到来した情報が、例えば、運転者の生体情報、運転者が運転する自動車の走行に係る自動車情報、運転者の健康状態情報、更には、自動車内外の環境に係る情報などである場合には、情報蓄積部４１１へ送出すると共に、解析に用いる情報でもあることから解析サーバ仲介部４１４へ送出する。
【００４９】
また、情報が到来したときには、受信データ識別部４０２は、全て情報開示部４１２へ送る。情報開示部４１２はデータベース４２２の情報開示者リストに含まれている相手からのアクセスであるかを検出する。この検出のためにアドレス以外にパスワードなどを用いても良い。情報開示部４１２は上記検出結果に基づき、情報の蓄積（アップロード）、情報の開示（ダウンロード）の制御を行い、メッセージ仲介部４１３に対してメッセージの蓄積及び開示を制御し、更には、解析サーバ仲介部４１４に対して解析依頼及び解析結果のダウンロードを制御する。
【００５０】
情報蓄積部４１１は、情報開示部４１２による許可があった場合に、到来情報をデータベース４２１へ蓄積する。また、情報開示部４１２は正当な相手であるときに、データベース４２１に蓄積された情報の開示を通信対応部（送信）４０３を介して行う。メッセージ仲介部４１３は、情報開示部４１２による許可があった場合に、到来したメッセージを記憶装置４２３へ蓄積し、或いは蓄積してあるメッセージをダウンロードさせる。解析サーバ仲介部４１４は、情報開示部４１２による許可があった場合に、到来した解析依頼を記憶装置４２４に記憶し、解析依頼と共に記憶装置４２４に記憶されている解析のための情報（生体情報等）を解析サーバ５００へ送出する。また、解析サーバ仲介部４１４は、情報開示部４１２による許可があった場合に、記憶装置４２４に記憶されている解析結果を解析依頼と共にダウンロードさせる。
【００５１】
第三者端末６００の構成を図６に示す。第三者端末６００には、センタサーバ４００のデータベース４２１に記憶されていた情報（センサデータ）を取り込む中継部１３０１が備えられる。センタサーバ４００のデータベース４２１に記憶されていた情報（センサデータ）は、判定手段であるアドバイス計算部６０１とセンサデータ出力部６２１へ与えられる。センサデータ出力部６２１は、センサデータを表示部６７５に表示する。センサデータ出力部６２１には出力調整部６２２が備えられ、出力調整部６２２は他の出力調整部６２４、６２６、６２８と表示領域などの調整を行い、センサデータを表示する。出力調整部６２２、６２４、６２６、６２８は、同様の機能を備えるので、以降の記述を省略する。表示部６７５に表示されたセンサデータは、例えば図３（ｂ）のようである。
【００５２】
また、第三者端末６００に備えられている、アドバイス計算部６０１、アドバイスデータ作成部６０５、中継部１３０２Ｂの構成は、運転者端末２００におけるアドバイス計算部２０１、アドバイスデータ作成部２０５、中継部３０２Ａの構成に等しいので、その説明を省略する。また、このアドバイス計算部６０１、アドバイスデータ作成部６０５、中継部１３０２Ｂは、必ずしも第三者端末６００に備えられている必要はない。
【００５３】
第三者端末６００には、センタサーバ４００のデータベース４２１に記憶されていたアドバイスデータを取り込む中継部１３０２Ａが備えられる。取り込まれたアドバイスデータ、即ちデータベース４２１に記憶されていたアドバイスデータは、アドバイスデータ出力部６２３へ与えられる。アドバイスデータ出力部６２３は、アドバイスデータを表示部６７５へ表示する。アドバイスデータの表示例を図３（ａ）に示す。
【００５４】
第三者端末６００には、センタサーバ４００の記憶装置４２３に記憶されていたメッセージを取り込む中継部１３０３Ａが備えられる。取り込まれたメッセージ、即ち記憶装置４２３に記憶されていたメッセージは、メッセージデータ出力部６２５へ与えられる。メッセージデータ出力部６２５は、メッセージを表示部６７５へ表示する。
【００５５】
第三者端末６００は、図１の入力部６８０の一部としての標準入力デバイス６０６を備えている。この標準入力デバイス６０６からは、運転者の健康状態情報、道路・経路情報等の各種メッセージ、センタサーバ４００へ送る解析依頼のコマンドなどを入力することができる。運転者の健康状態情報は、運転前に管理者などが運転者から聴取した「疲れ」、「熱」、「気分」、「頭痛や腹痛の有無」、「怪我の有無」などの情報とすることができる。道路・経路情報は、例えばバス等の運行業務の場合には、「運行経路」等の情報、宅配業務の場合は「巡回路」などの情報とすることができる。これらの情報は、ここでは、メッセージとしてメッセージの経路でセンタサーバ４００へ送られるが、別の経路で健康状態情報として送信しても良い。また、この情報はアドバイス計算部６０１が用いてアドバイスを得るようにしても良い。更に、第三者端末６００は、アドバイス計算部６０１を用いて、運転者が指定された経路と異なる経路を走行しているなどの行動等を、管理者に知らせる機能を有することもできる。
【００５６】
メッセージデータ作成部６０７は、標準入力デバイス６０６から情報を受けてメッセージなどを作成し中継部１３０３Ｂを介してメッセージデータ出力部６２５と通信部６３１を介してセンタサーバ４００へ送る。メッセージデータ出力部６２５は、メッセージを表示部６７５へ表示することができる。ここに表示されるメッセージは、運転者端末２００のメッセージデータ作成部２０７により入力されたメッセージにほぼ等しいので、重複する説明を省略する。
【００５７】
また、第三者端末６００は、出力フォーマット記憶部６１０、出力フォーマット再定義部６０９を備えるが、これらは、運転者端末２００の出力フォーマット記憶部２１０、出力フォーマット再定義部２０８と同じ機能を有するものである。
【００５８】
第三者端末６００には、センタサーバ４００の記憶装置４２４に記憶されていた当該第三者端末６００の解析依頼の解析結果を取り込む中継部１３０５Ｂ、センタサーバ４００の記憶装置４２４に記憶されていた運転者端末２００の解析依頼を取り込む中継部１３０４Ａ、センタサーバ４００の記憶装置４２４に記憶されていた運転者端末２００の解析依頼した解析結果を取り込む中継部１３０５Ａが備えられる。取り込まれた解析結果や解析依頼は、解析結果データ出力部６２７へ与えられる。解析結果データ出力部６２７は、解析結果や解析依頼を表示部６７５へ表示する。
【００５９】
標準入力デバイス６０６からセンタサーバ４００へ送る解析依頼のコマンドが入力された場合には、解析依頼部６０８がこれを検出し、依頼内容を含むフォーマットに変更し中継部１３０４Ｂから通信部６３１を介して解析依頼コマンドをセンタサーバ４００へ送る。また、中継部１３０４Ｂは解析結果データ出力部６２７へ解析依頼のコマンドが入力された旨の情報を送出する。解析結果データ出力部６２７は、これを受けて「解析依頼中」などを示す表示を表示部６７５へ表示する。表示は所定のマークをブリンク表示させるなどであって良い。
【００６０】
解析処理内容や解析結果は、センタサーバ４００及び解析サーバ５００の説明において既にのべた通りである。第三者端末６００が解析依頼の機能を備えない場合には、解析依頼部６０８、中継部１３０４Ｂ、１３０５Ｂは備えられない。
【００６１】
以上の通りの構成によって、生体情報、運転者が運転する自動車の走行に係る自動車情報、自動車内外の環境に係る情報、更には、自主申告や聞き取り調査された運転者の健康状態情報等に基づき、運転者の健康状態及び運転技術に関する少なくとも良否が判定され、この結果を運転者端末２００と第三者端末６００において共用できる。
【００６２】
上記情報を用いた解析サーバ５００による解析依頼を運転者端末２００と第三者端末６００において発生させることができ、解析サーバ５００による解析結果についても運転者端末２００と第三者端末６００において共用できる。従って、運転者の家族にとっては安心を与え、また、タクシーやトラックなどの運送業の管理者には、運転者の状態及び運転状態の把握が容易となるという利点がある。
【００６３】
図７に、本発明に係る運転関連情報共用システムにおける第二の実施形態の構成図を示す。この第二の実施形態では解析サーバ５００を備えておらず、センタサーバ４００Ａが解析サーバ５００の機能を備える。解析サーバ５００の機能は、演算処理部４７０Ａによって実現される。この第二の実施形態に係る運転関連情報共用システムにおいては、他の構成は前述の第一の実施形態に等しい。
【００６４】
センタサーバ４００Ａの詳細を図８に示す。このセンタサーバ４００Ａでは、センタサーバ４００に設けられていた解析サーバ仲介部４１４に代えて解析処理部４１５が備えられ、この解析処理部４１５に記憶装置４２５が接続されている点において、第一の実施形態と異なり、その他の構成においては第一の実施形態と等しい。
【００６５】
受信データ識別部４０２は、解析依頼を解析処理部４１５へ与える。これにより、解析処理部４１５は解析を実行し、解析結果を記憶装置４２５へ記憶することができる。解析処理部４１５による解析は解析サーバ５００と同様であり、判定手段であるアドバイス計算部２０１が行う判定よりも詳細緻密であり、特定の病気、運転者の運転技術としての運転の癖、車両の異常などを統計処理を含めた処理を行って求めることができる。
【００６６】
解析の例としては、例えば、運転者の病気の兆候の判断、運転者の運転の癖、車体の調子などを、ある程度長い間に収集された情報から解析し、或いは図７に示されるように外部の情報源から得られた対比情報と比較して解析するなどとすることができる。勿論、解析サーバ５００と同様に、上記の解析の他、例えば、地図道路情報の提供、並びに道路混雑状況を推測して最短距離を算出して結果を提供するなどの機能を有しても良い。
【００６７】
運転者端末２００または第三者端末６００において入力されてセンタサーバ４００Ａへ送られた解析依頼コマンドに対する応答である解析結果データは、運転者端末２００または第三者端末６００によって記憶部４２５から取り込まれて（ダウンロードされて）表示部２７５、６７５に表示することができる。
【００６８】
このように第二の実施形態によれば、解析サーバ５００を用いることなく、センタサーバ４００Ａによって運転者の病気の兆候の判断、運転者の運転の癖、車体の調子などの解析を行ってその結果を運転者端末２００または第三者端末６００に提供することができる。このため、上記解析結果を共用することができ、運転者の家族にとっては安心を与え、また、タクシーやトラックなどの運送業の管理者には、運転者の状態及び運転状態の把握が容易となるという利点がある。第二の実施形態における解析処理部４１５以外の構成による効果は、第一の実施形態に等しい。
【符号の説明】
【００６９】
１００  センサ部
１０１  生体情報センサ
１０２  自動車情報センサ
１０３  環境センサ
２００  運転者端末
２７０  演算処理部
２７５  表示部
２８０  入力部
２８５  インタフェース部
２９０  通信部
３０１  取込手段
４００、４００Ａ  センタサーバ
４０１、４０３  通信対応部
４７０、４７０Ａ  演算処理部
５００  解析サーバ
６００  第三者端末
６７０  演算処理部
６７５  表示部
６８０  入力部
６９０  通信部
【図１】
2015075895.tif 000003
【図２】
2015075895.tif 000004
【図３】
2015075895.tif 000005
【図４】
2015075895.tif 000006
【図５】
2015075895.tif 000007
【図６】
2015075895.tif 000008
【図７】
2015075895.tif 000009
【図８】
2015075895.tif 000010
【手続補正書】
【提出日】平成25年10月16日(2013.10.16)
【手続補正１】
【補正対象書類名】明細書
【補正対象項目名】００２４
【補正方法】変更
【補正の内容】
【００２４】
【図１】本発明に係る運転関連情報共用システムの第１の実施形態の構成を示すブロック図。
【図２】本発明に係る運転関連情報共用システムに用いられる運転者端末の実施形態の構成を示すブロック図。
【図３】本発明に係る運転関連情報共用システムにおける表示例であり、（ａ）アドバイスデータの表示例を示し、（ｂ）はセンサ部から収集された情報（センサデータ）の表示例を示す図。
【図４】本発明に係る運転関連情報共用システムにおける表示例であり、アドバイスデータをアイコンで可視表示する場合のアイコンと意味、音声出力されるメッセージの例を示す図。
【図５】本発明に係る運転関連情報共用システムに用いられるセンタサーバの第１の実施形態の構成を示すブロック図。
【図６】本発明に係る運転関連情報共用システムに用いられる第三者端末の実施形態の構成を示すブロック図。
【図７】  本発明に係る運転関連情報共用システムの第２の実施形態の構成を示すブロック図。
【図８】  本発明に係る運転関連情報共用システムに用いられるセンタサーバの第２の実施形態の構成を示すブロック図。